(57)【要約】【課題】  本発明は魚釣用リールに関し、握持する手での確実な保持と制御ケース上の操作スイッチの誤操作防止を図った魚釣用リールを提供することを目的とする。【解決手段】  請求項１に係る発明は、リール本体の上部に設けた制御ケースの操作パネル上に、釣り情報を表示する表示器と各種機能の操作スイッチを配設した魚釣用リールに於て、上記表示器の後方側の操作パネル上に指載置スペースを設けると共に、当該指載置スペースに近接して配設される操作スイッチの誤操作防止手段を設けたことを特徴とする。  そして、請求項２に係る発明は、請求項１に記載の魚釣用リールに於て、指載置スペースは凹状に形成されていることを特徴とし、請求項３に係る発明は、請求項１または請求項２に記載の魚釣用リールに於て、誤操作防止手段は、指載置スペースよりも上方へ突出させて操作パネルに設けた隆起部からなることを特徴とする。【選択図】    図１
2005143359.tif 000002
【特許請求の範囲】
【請求項１】
リール本体の上部に設けた制御ケースの操作パネル上に、釣り情報を表示する表示器と各種機能の操作スイッチを配設した魚釣用リールに於て、
上記表示器の後方側の操作パネル上に指載置スペースを設けると共に、当該指載置スペースに近接して配設される操作スイッチの誤操作防止手段を設けたことを特徴とする魚釣用リール。
【請求項２】
指載置スペースは、凹状に形成されていることを特徴とする請求項１に記載の魚釣用リール。
【請求項３】
誤操作防止手段は、指載置スペースよりも上方へ突出させて操作パネルに設けた隆起部からなることを特徴とする請求項１または請求項２に記載の魚釣用リール。
【発明の詳細な説明】
【技術分野】
【０００１】
本発明は、実釣時に於ける操作性の向上を図った魚釣用リールに関する。
【背景技術】
【０００２】
釣果の向上を図るため、近年、多くの魚釣用リールには、スプールに巻回された釣糸の繰出し量や巻取り量を計測，表示する糸長計測装置が装着され、また、釣糸の巻取り操作を軽快に行うためにスプールモータをリール本体に装着して、当該スプールモータの駆動で釣糸を自動的にスプールに巻き取る等、釣人のニーズに対応すべく、魚釣用リールの操作性を向上する様々な機能が組み込まれて電子化，多機能化が進んでいるのが現状である。
【０００３】
そして、特許文献１または特許文献２に開示されるように、従来、糸長計測装置の糸長計測値やその他の釣り情報を表示する表示器や、魚釣用リールに装着された各機能の操作スイッチが、リール本体の側板間の上部に設けられた制御ケースの操作パネル上に配設されており、実釣時に必要な機能に応じ、釣人がこれらの操作スイッチを適宜選択し操作している。
【特許文献１】特開平８−２２８６４７号公報
【特許文献２】特開２００１−１７８３３４号公報
【発明の開示】
【発明が解決しようとする課題】
【０００４】
ところで、実釣に於ては、状況に応じてハンドルを巻き取り操作して棚位置を調整したりシャクリ操作したり、操作スイッチを操作してスプールモータで自動巻取り操作する等、釣竿に取り付けられた魚釣用リールを手で握持した状態で釣人はこれらの操作を行うこととなる。
この場合、魚釣用リールを握持した手の親指は、リール本体の上部に設けられた制御ケースの上部、即ち、操作パネル上に置かれることとなるが、表示器の上に指が置かれると表示された糸長計測値や釣り情報が確認できず、また、表示器上の透明カバーを損傷してしまう虞があった。
【０００５】
また、魚釣用リールを握持した手の親指が乗せ易い表示器より後方側の操作パネルには、一般に十分な保持スペースが確保されておらず、而も、この領域には操作スイッチが配設されているため、実釣対応時に誤って操作スイッチに指が触れて誤操作してしまう虞も指摘されていた。
本発明は斯かる実情に鑑み案出されたもので、握持する手での確実な保持と制御ケース上の操作スイッチの誤操作防止を図って、実釣時に於ける操作性の向上を図った魚釣用リールを提供することを目的とする。
【課題を解決するための手段】
【０００６】
斯かる目的を達成するため、請求項１に係る発明は、リール本体の上部に設けた制御ケースの操作パネル上に、釣り情報を表示する表示器と各種機能の操作スイッチを配設した魚釣用リールに於て、上記表示器の後方側の操作パネル上に指載置スペースを設けると共に、当該指載置スペースに近接して配設される操作スイッチの誤操作防止手段を設けたことを特徴とする。
【０００７】
そして、請求項２に係る発明は、請求項１に記載の魚釣用リールに於て、指載置スペースは凹状に形成されていることを特徴とし、請求項３に係る発明は、請求項１または請求項２に記載の魚釣用リールに於て、誤操作防止手段は、指載置スペースよりも上方へ突出させて操作パネルに設けた隆起部からなることを特徴とする。
【発明の効果】
【０００８】
請求項１に係る発明によれば、制御ケースの操作パネル上の操作スイッチの誤操作防止を図り乍ら、リール全体をしっかりと保持することが可能となって、実釣時の操作性が一段と向上する利点を有する。
そして、請求項２及び請求項３に係る発明によれば、制御ケースへの簡単な構成で、魚釣用リールを握持した手の指での十分な保持と、操作スイッチの誤操作防止を図ることが可能となって、実釣時の操作性が著しく向上する利点を有する。
【０００９】
而も、指載置スペースは凹状に形成されているため、指載置スペースを見なくても釣人は指載置スペースの位置を正確に把握して親指を載置することができる。
【発明を実施するための最良の形態】
【００１０】
以下、本発明の実施形態を図面に基づいて詳細に説明する。
図１乃至図５は請求項１乃至請求項３の一実施形態に係る魚釣用リールを示し、図１に於て、１はリール本体３のフレーム、５，７は当該フレーム１の左右に取り付く側板で、両側板５，７間にスプール軸を介してスプール９が回転可能に支持されている。
スプール９は、スプールモータ１１の駆動やハンドル１３の巻取り操作で回転して釣糸が巻回されるようになっており、スプールモータ１１はスプール９前方のフレーム１に一体成形されたモータケース内に収納されている。
【００１１】
そして、側板７の上部前方には、特許第２９７７９７８号公報で開示された魚釣用リールと同様、スプールモータ１１のモータ出力を調節するレバー形状のモータ出力調節体（以下、「パワーレバー」という）１５がハンドル１３と同方向へ回転操作可能に取り付けられている。
また、図１及び図２に示すようにリール本体３の上部には、マイクロコンピュータとその他の電子機器からなる制御回路等が収容された制御ケース１７が側板５，７間に設けられており、パワーレバー１５の操作で、制御ケース１７内に装着されたマイクロコンピュータがスプールモータ１１のモータ出力をモータ停止状態から最大値（０〜１００％）まで連続的に増減して、スプール９の巻取り速度を制御するようになっている。
【００１２】
更にスプール９後方の側板５，７間には、側板７内に装着したクラッチ機構１９のクラッチレバー２１が上下動可能に装着されており、このクラッチレバー２１の操作でクラッチ機構１９がＯＮ／ＯＦＦに切り換わって、スプール９へのスプールモータ１１やハンドル１３の駆動力が伝達／遮断されるようになっている。
一方、図１中、２３はスプール９の回転数とその回転方向を検出する回転検出手段で、当該回転検出手段２３は、フレーム１に装着された一対のリードスイッチ２５と、これに対向してスプール９の一端側に固着された複数のマグネット２７とで構成されており、リードスイッチ２５は制御ケース１７内のマイクロコンピュータに接続されている。
【００１３】
而して、マイクロコンピュータのＣＰＵは、特開平５−１０３５６７号公報で開示された魚釣用リールの糸長計測と同様、リードスイッチ２５から出力されるスプール９の正転，逆転の判定信号を取り込んで釣糸の繰出しか巻取りかを判定すると共に、リードスイッチ２５から取り込むスプール９の回転パルス信号をカウントして、この計数値を基にメモリに記憶された糸長計算式を演算実行するようになっている。
【００１４】
そして、ＣＰＵは、表示駆動回路を介してその演算結果を、制御ケース１７上部の操作パネル２９上に設けた表示器３１に表示させるようになっており、釣人は斯かる表示を確認し乍ら、所定の水深に仕掛けを繰り出したり、ハンドル１３やパワーレバー１５の操作で釣糸を巻き上げたり、或いは後述する寸動スイッチ３７の操作で微妙な棚位置調整やシャクリ操作ができるようになっている。
【００１５】
また、図１に示すように操作パネル２９上には、表示器３１に隣接して側板７側にリセットスイッチ３３と棚メモスイッチ３５がリール本体３の前後に装着され、更にまた、表示器３１に隣接してその斜め後方の側板７側に寸動スイッチ３７が装着されており、これらはマイクロコンピュータに接続されている。
既述したようにマイクロコンピュータは、リードスイッチ２５から取り込むスプール９の回転パルス信号をカウントし、この計数値を基に糸長計算式を演算実行して演算結果を表示器３１に表示させるが、図３に示すように表示器３１の中央上部の上カラ表示部３９に水面からの仕掛けの水深が表示され、中央下部の棚カラ表示部４１に棚からの仕掛けの距離が上下２段に並列して表示されるようになっている。
【００１６】
即ち、実釣に当たり、釣糸が竿先から水面まで繰り出された処で釣人がリセットスイッチ３３を操作すると、上カラ表示部３９の表示値が「０．０」にリセットされるようになっている。
この後、釣人が釣糸を繰り出していくと、ＣＰＵで演算，計測された糸長計測値が上カラ表示部３９に表示され、そして、釣糸が例えば９５．５ｍ繰り出された処で釣人が棚メモスイッチ３５を操作すると、棚カラ表示部４１に「０．０」が表示されて棚位置が設定され、以後、図３に示すように棚位置から例えば１５ｍの釣糸の巻上げに伴う仕掛けの距離と水面からの繰出し量（水深）が、棚カラ表示部４１と上カラ表示部３９に表示されるようになっている。
【００１７】
而して、既述したように寸動スイッチ３７は、表示器３１に隣接してその斜め後方の側板７側に設けられているが、図１乃至図５に示すように当該寸動スイッチ３７に隣接して表示器３１の後方側の操作パネル２９上に、凹状の指載置スペース４３が設けられている。
指載置スペース４３は、表示器３１の枠体４５と、操作パネル２９の平面視円弧状の後端縁２９ａとの間の形状に一致させて操作パネル２９の左右方向へ設けられており、指載置スペース４３の側板５側は大きく平面視円形状に広がり、また、指載置スペース４３の底部は、親指Ｓの指先に合わせて操作パネル２９の前後方向へ略弧状に窪んだ形状とされている。
【００１８】
そして、指載置スペース４３の側板７側に前記寸動スイッチ３７が隣接して配設されている。
このように表示器３１後方の操作パネル２９上に親指Ｓの指載置スペース４３を設けたことで、実釣時に、本実施形態に係る電動リール４７の確実な握持が可能となる。
しかし、指載置スペース４３の側板７側に寸動スイッチ３７が隣接して配設されている構造上、指載置スペース４３に載置した親指Ｓによる寸動スイッチ３７の誤操作の虞がある。
【００１９】
そこで、本実施形態は、寸動スイッチ３７を囲繞する環状の隆起部４９を、指載置スペース４３及び周辺の操作パネル２９より上方へ突出させて当該操作パネル２９に一体に設けており、図３及び図４に示すように指載置スペース４３に載置した親指Ｓが側板７側にズレたときに、親指Ｓが隆起部４９の外周に接触して釣人にその旨を気付かせると同時に、親指Ｓによる寸動スイッチ３７の誤操作を隆起部４９が積極的に防止するようになっている。
【００２０】
そして、図４及び図５に示すように隆起部４９の上面は操作パネル２９の後方へ向かって斜め下方へ傾斜して設けられており、斯かる形状によって、親指Ｓによる寸動スイッチ３７の操作時に、隆起部４９による違和感を感じることなく寸動スイッチ３７が操作できるようになっている。
本実施形態はこのように構成されているから、クラッチレバー２１のクラッチＯＦＦ操作で釣糸がスプール９から繰り出され、既述した棚メモスイッチ３５の操作で棚位置が設定される。
【００２１】
そして、パワーレバー１５によるスプールモータ１１の巻取り駆動やハンドル１３の巻取り操作でスプール９に釣糸が巻回され、また、寸動スイッチ３７の操作で微妙な棚位置調整やシャクリ操作が行われ、釣糸の繰出しや巻取りに伴い、リードスイッチ２５から取り込むスプール９の回転パルス信号を基に、マイクロコンピュータのＣＰＵが釣糸の繰出し量や巻取り量を演算して表示器３１に糸長計測値を表示させることとなる。
【００２２】
そして、この一連の実釣時に、釣人は釣竿に取り付けられた電動リール４７を手で握持することとなるが、本実施形態は、電動リール４７を握持した手の親指Ｓが乗せ易い表示器３１後方の操作パネル２９上に、親指Ｓの指先に合わせて操作パネル２９の前後方向へ略弧状に窪んだ指載置スペース４３を操作パネル２９の左右方向に亘って設けたので、表示器３１に親指Ｓを載置することなく釣人は電動リール４７をしっかりと握持できることとなる。
【００２３】
また、指載置スペース４３の側板７側に寸動スイッチ３７が隣接して配設されているが、寸動スイッチ３７を囲繞する環状の隆起部４９が設けられているため、図３及び図４に示すように指載置スペース４３に載置した親指Ｓが側板７側にズレても、親指Ｓが隆起部４９の外周に接触して釣人にその旨を気付かせると同時に、親指Ｓによる寸動スイッチ３７の誤操作を隆起部４９が積極的に防止する。
【００２４】
このように本実施形態によれば、制御ケース１７への簡単な構成によって、電動リール４７を握持した手の指での十分な保持と、寸動スイッチ３７の誤操作防止を図ることが可能となって、実釣時の操作性が著しく向上することとなった。
而も、指載置スペース４３は、親指Ｓの指先に合わせて操作パネル２９の前後方向へ略弧状に窪んだ形状とされているため、指載置スペース４３を見なくても釣人は指載置スペース４３の位置を正確に把握して親指Ｓを載置することができ、また、指先に合わせて形成されているため、釣人は親指Ｓを違和感なく載置することができる。
【００２５】
尚、上記実施形態は、寸動スイッチ３７を囲繞する環状の隆起部４９を操作パネル１７上に一体成形したが、斯かる隆起部は操作パネル１７と別体に設けて、操作パネル１７上に取り付けてもよい。
また、上記隆起部４９に代え、寸動スイッチ３７のその他の誤操作防止手段として、例えば寸動スイッチ３７に隣接させて側板７側の操作パネル２９上に誤操作防止スイッチを装着し、当該誤操作防止スイッチと寸動スイッチ３７の同時操作によって寸動スイッチ３７が機能するように構成してもよく、斯かる実施形態によっても、上記実施形態と同様、所期の目的を達成することが可能である。
【図面の簡単な説明】
【００２６】
【図１】請求項１乃至請求項３の一実施形態に係る魚釣用リールの平面図である。
【図２】図１に示す魚釣用リールの背面図である。
【図３】制御ケース上部の操作パネルの拡大平面図である。
【図４】図３のＸ方向矢視図である。
【図５】図３のＹ方向矢視図である。
【符号の説明】
【００２７】
３  リール本体
５，７  側板
９  スプール
１１  スプールモータ
１３  ハンドル
１５  パワーレバー
１７  制御ケース
２１  クラッチレバー
２３  回転検出手段
２５  リードスイッチ
２９  操作パネル
３１  表示器
３３  リセットスイッチ
３５  棚メモスイッチ
３７  寸動スイッチ
３９  上カラ表示部
４１  棚カラ表示部
４３  指載置スペース
４７  電動リール
４９  隆起部
【図１】
2005143359.tif 000003
【図２】
2005143359.tif 000004
【図３】
2005143359.tif 000005
【図４】
2005143359.tif 000006
【図５】
2005143359.tif 000007